(57)【特許請求の範囲】
【請求項１】
ＤＩＣＯＭメディアを挿入することにより、このＤＩＣＯＭメディアに記憶されている医用情報を表示することが可能な端末装置と、
前記端末装置にネットワークを介して接続され、前記端末装置から前記ネットワークを介して送られてきた複数の前記ＤＩＣＯＭメディアに記憶されている医用情報に関するＤＩＣＯＭＤＩＲファイルの内容をそれぞれ記憶するＤＩＣＯＭディレクトリィ記憶手段と、前記ＤＩＣＯＭディレクトリィ記憶手段に記憶された情報をもとに前記複数のＤＩＣＯＭメディアの医用情報を検索する検索手段とを含み、前記複数のＤＩＣＯＭメディアのＤＩＣＯＭＤＩＲファイルを管理する管理サーバと、を有してなることを特徴とするＤＩＣＯＭメディア情報管理システム。
【請求項２】
ＤＩＣＯＭメディアを挿入することにより、撮像した医用画像をこのＤＩＣＯＭメディアに記憶することが可能なモダリティ装置と、
このモダリティ装置にネットワークを介して接続され、前記モダリティ装置からネットワークを介して送られてきた複数の前記ＤＩＣＯＭメディアに記憶されている前記医用画像の内容に関するＤＩＣＯＭＤＩＲファイルを管理する管理サーバと、
この管理サーバ内に設けられ、前記複数のＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、
を有して成ることを特徴とするＤＩＣＯＭメディア情報管理システム。
【請求項３】
ＤＩＣＯＭメディアを挿入することにより、撮像した医用画像をこのＤＩＣＯＭメディアに記憶することが可能なモダリティ装置と、
このモダリティ装置にネットワークを介して接続され、前記モダリティ装置から前記ネットワークを介して送られてきた複数の前記ＤＩＣＯＭメディアに記憶されている前記医用画像の内容に関するＤＩＣＯＭＤＩＲファイルを管理する管理サーバと、
この管理サーバ内に設けられ、前記複数のＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、
前記モダリティ装置に前記ＤＩＣＯＭメディアが挿入されたとき、このＤＩＣＯＭメディアのＤＩＣＯＭＤＩＲファイルを検知し、このＤＩＣＯＭメディアのＤＩＣＯＭＤＩＲファイルの更新日時と、前記管理データベースに記憶されている対応するＤＩＣＯＭＤＩＲファイルの更新日時を比較し、更新日時が整合しない場合は前記ＤＩＣＯＭメディア又は前記データベースのＤＩＣＯＭＤＩＲファイルのデータを新しい日時の内容に書き換えて整合するディレクトリィファイル書き換え手段と、
を有して成ることを特徴とするＤＩＣＯＭメディア情報管理システム。
【請求項４】
ＤＩＣＯＭメディアを挿入することにより、撮像した医用画像をこのＤＩＣＯＭメディアに記憶することが可能なモダリティ装置と、
このモダリティ装置にネットワークを介して接続され、前記モダリティ装置から前記ネットワークを介して送られてきた複数の前記ＤＩＣＯＭメディアに記憶されている前記医用画像の内容に関するＤＩＣＯＭＤＩＲファイルを管理する管理サーバと、
この管理サーバ内に設けられ、前記ＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、
前記モダリティ装置に前記ＤＩＣＯＭメディアが挿入されたとき、このＤＩＣＯＭメディアのメディアＩＤの有無を検知するメディアＩＤ検知手段と、
このメディアＩＤ検知手段によりメディアＩＤが検知されないとき、前記管理サーバに通知し、新規のメディアＩＤを発行してそのＤＩＣＯＭメディアに付すると共に、新規のメディアＩＤにしたがって前記ＤＩＣＯＭメディアのＤＩＣＯＭＤＩＲファイルを前記管理データベースに記憶するＤＩＣＯＭディレクトリィ記憶手段と、
を有して成ることを特徴とするＤＩＣＯＭメディア情報管理システム。
【請求項５】
ＤＩＣＯＭメディアを挿入することにより、撮像した医用画像をこのＤＩＣＯＭメディアに記憶することが可能なモダリティ装置と、
このモダリティ装置にネットワークを介して接続され、前記モダリティ装置から前記ネットワークを介して送られてきた複数の前記ＤＩＣＯＭメディアに記憶されている前記医用画像の内容に関するＤＩＣＯＭＤＩＲファイルを管理する管理サーバと、
この管理サーバ内に設けられ、前記ＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、
前記モダリティ装置において前記ＤＩＣＯＭメディアの検索条件が入力されたとき、前記管理データベースに問い合わせ、前記検索手段によって対応する前記ＤＩＣＯＭメディアの内容を検索してその検索結果を出力する出力手段と、
を有して成ることを特徴とするＤＩＣＯＭメディア情報管理システム。 
【請求項６】
ＤＩＣＯＭメディアを挿入することにより、このＤＩＣＯＭメディアに記憶されている医用情報を表示することが可能な端末装置とネットワークを介して接続された管理サーバであって、
前記端末装置から前記ネットワークを介して送られてきた複数の前記ＤＩＣＯＭメディアに記憶されている医用情報に関するＤＩＣＯＭＤＩＲファイルの内容をそれぞれ記憶するＤＩＣＯＭディレクトリィ記憶手段と、
前記ＤＩＣＯＭディレクトリィ記憶手段に記憶された情報をもとに前記複数のＤＩＣＯＭメディアに記憶されている医用情報を検索する検索手段と、を備えたＤＩＣＯＭメディア情報を管理する管理サーバ。
【請求項７】
ＤＩＣＯＭメディアを挿入することにより、撮像した医用画像をこのＤＩＣＯＭメディアに記憶することが可能なモダリティ装置とネットワークを介して接続された管理サーバであって、
前記モダリティ装置から前記ネットワークを介して送られてきた複数の前記ＤＩＣＯＭメディアに記憶されている前記医用画像の内容に関するＤＩＣＯＭＤＩＲファイルの情報を、前記ＤＩＣＯＭメディアの各々に対応して付されたメディアＩＤをキーとして記憶する管理データベースと、
前記管理データベースに記憶された情報をもとに前記複数のＤＩＣＯＭメディアに記憶された医用情報を検索する検索手段と、
を備えたＤＩＣＯＭメディア情報を管理する管理サーバ。
【請求項８】
ＤＩＣＯＭメディアを挿入することにより、撮像した医用画像をこのＤＩＣＯＭメディアに記憶することが可能なモダリティ装置とネットワークを介して接続された管理サーバであって、
前記モダリティ装置から前記ネットワークを介して送られてきた複数の前記ＤＩＣＯＭメディアに記憶されている前記医用画像の内容に関するＤＩＣＯＭＤＩＲファイルの情報を、前記ＤＩＣＯＭメディアの各々に対応して付されたメディアＩＤをキーとして記憶する管理データベースと、
前記管理データベースに記憶された情報をもとに前記複数のＤＩＣＯＭメディアに記憶された医用情報を検索する検索手段と、
前記モダリティ装置に挿入された前記ＤＩＣＯＭメディアのＤＩＣＯＭＤＩＲファイルの更新日時と、前記管理データベースに記憶されている対応するＤＩＣＯＭＤＩＲファイルの更新日時を比較し、更新日時が整合しない場合は前記ＤＩＣＯＭメディア又は前記データベースのＤＩＣＯＭＤＩＲファイルのデータを新しい日時の内容に書き換えて整合するディレクトリィファイル書き換え手段と、
を備えたＤＩＣＯＭメディア情報を管理する管理サーバ。
【請求項９】
ＤＩＣＯＭメディアを挿入することにより、撮像した医用画像をこのＤＩＣＯＭメディアに記憶することが可能なモダリティ装置とネットワークを介して接続された管理サーバであって、
前記モダリティ装置から前記ネットワークを介して送られてきた複数の前記ＤＩＣＯＭメディアに記憶されている前記医用画像の内容に関するＤＩＣＯＭＤＩＲファイルの情報を、前記ＤＩＣＯＭメディアの各々に対応して付されたメディアＩＤをキーとして記憶する管理データベースと、
前記管理データベースに記憶された情報をもとに前記複数のＤＩＣＯＭメディアに記憶された医用情報を検索する検索手段と、
前記モダリティ装置において前記ＤＩＣＯＭメディアの検索条件が入力されたとき、前記管理データベースに問い合わせ、前記検索手段によって対応する前記ＤＩＣＯＭメディアの内容を検索してその検索結果を出力する出力手段と、
を備えたＤＩＣＯＭメディア情報を管理する管理サーバ。
【発明の詳細な説明】
【技術分野】
【０００１】
本発明は、医用情報分野の、ＤＩＣＯＭ規格に係わり、特にこのＤＩＣＯＭ規格に適用されるＤＩＣＯＭメディア管理システムに関する。
【背景技術】
【０００２】
医用画像のオンライン通信や光磁気ディスクなどの記録媒体への記録には、「医療におけるデジタル画像と通信」（digital Imaging and Communications in Medicine; DICOM）規格に則って行なわれることが多くなってきた。この規格は、米国放射線学会（American College of Ragiology ; ACR）と米国電気工業界（National Electrical Manufacturers Association ; MEMA）とによる委員会が定めた医療におけるデジタル画像と通信に関する標準規格であり、本規格に基づいて画像フォーマットや通信プロトコルを設定することにより、Ｘ線ＣＴ装置やＭＲＩ装置などのような異なる種類のモダリティ装置により収集された医用画像や、メーカの異なるモダリティ装置で収集された医用画像装置を初めとして、これら医用画像を含む医用情報が共通の資産として活用できるようになった。
【０００３】
ところで、このようなＤＩＣＯＭ規格で用いられるＤＩＣＯＭメディア（医用画像の情報が記憶される医用情報ファイルとこの医用情報に付随してその階層構造を管理する付随情報ファイルとが記憶保存される医用情報記憶媒体）には各々、記憶されている医用画像の構造、内容を示す、１つのＤＩＣＯＭＤＩＲファイルが存在する。このＤＩＣＯＭＤＩＲファイルの内容は、通常、ＤＩＣＯＭ規格に対応した装置に読み込んでみないとわからない。
【０００４】
したがって、従来のこの種のシステムでは、ＤＩＣＯＭメディアに一旦保存した医用情報を、もう一度参照したい場合には、ＤＩＣＯＭメディアをＤＩＣＯＭ規格に対応した装置に、１つ１つ読み込んでみて目的の情報を探す必要があった。
【０００５】
また、ＤＩＣＯＭＤＩＲファイルは医用画像を含む医用情報をＤＩＣＯＭメディアに保存すると、その都度内容が更新される。このように医用情報をＤＩＣＯＭメディアに保存したりＤＩＣＯＭメディアから読み出す際に、電源が遮断したりオペレーティングシステムやアプリケーションがハングアップして、ＤＩＣＯＭＤＩＲファイルに障害が発生することもある。
【０００６】
障害が発生すると、それ以後そのＤＩＣＯＭメディアへの保存や読み出しができなくなったり、保存や読み出しは可能であるがＤＩＣＯＭＤＩＲファイルの各階層に対応しているオブジェクトファイルとの間に不整合が発生したり、ＤＩＣＯＭファイルにアクセスは可能であるが、その中のＤＩＣＯＭＤＩＲファイルにアクセスできなくなることもある。
【発明の開示】
【発明が解決しようとする課題】
【０００７】
上述のように、従来のＤＩＣＯＭシステムでは、ＤＩＣＯＭメディアに保存されている医用画像を含む医用情報を参照するときそれらのメディアを入れ替えて見る必要があり不便であった。また、何らかの原因でＤＩＣＯＭメディアに不都合が生じたとき、内容を知ることができないという問題点もあった。
【０００８】
本発明は上記のような従来の問題点に鑑みてなされたもので、ＤＩＣＯＭメディアに不都合が生じても内容を復旧することが可能であり、しかも各ＤＩＣＯＭメディアの内容を容易に検索できる、ＤＩＣＯＭメディア情報管理システムを提供することを目的とする。
【課題を解決するための手段】
【０００９】
本発明の請求項１によれば、ＤＩＣＯＭメディアを挿入することにより、このＤＩＣＯＭメディアに記憶されている医用情報を表示することが可能な端末装置と、前記端末装置にネットワークを介して接続され、前記端末装置から前記ネットワークを介して送られてきた複数の前記ＤＩＣＯＭメディアに記憶されている医用情報に関するＤＩＣＯＭＤＩＲファイルの内容をそれぞれ記憶するＤＩＣＯＭディレクトリィ記憶手段と、前記ＤＩＣＯＭディレクトリィ記憶手段に記憶された情報をもとに前記複数のＤＩＣＯＭメディアの医用情報を検索する検索手段とを含み、前記複数のＤＩＣＯＭメディアのＤＩＣＯＭＤＩＲファイルを管理する管理サーバと、を有してなることを特徴とするＤＩＣＯＭメディア情報管理システムを提供する。
【００１０】
本発明の請求項２によれば、ＤＩＣＯＭメディアを挿入することにより、撮像した医用画像をこのＤＩＣＯＭメディアに記憶することが可能なモダリティ装置と、このモダリティ装置にネットワークを介して接続され、前記モダリティ装置からネットワークを介して送られてきた複数の前記ＤＩＣＯＭメディアに記憶されている前記医用画像の内容に関するＤＩＣＯＭＤＩＲファイルを管理する管理サーバと、この管理サーバ内に設けられ、前記複数のＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、を有して成ることを特徴とするＤＩＣＯＭメディア情報管理システムを提供する。
【００１１】
本発明の請求項３によれば、ＤＩＣＯＭメディアを挿入することにより、撮像した医用画像をこのＤＩＣＯＭメディアに記憶することが可能なモダリティ装置と、このモダリティ装置にネットワークを介して接続され、前記モダリティ装置から前記ネットワークを介して送られてきた複数の前記ＤＩＣＯＭメディアに記憶されている前記医用画像の内容に関するＤＩＣＯＭＤＩＲファイルを管理する管理サーバと、この管理サーバ内に設けられ、前記複数のＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、前記モダリティ装置に前記ＤＩＣＯＭメディアが挿入されたとき、このＤＩＣＯＭメディアのＤＩＣＯＭＤＩＲファイルを検知し、このＤＩＣＯＭメディアのＤＩＣＯＭＤＩＲファイルの更新日時と、前記管理データベースに記憶されている対応するＤＩＣＯＭＤＩＲファイルの更新日時を比較し、更新日時が整合しない場合は前記ＤＩＣＯＭメディア又は前記データベースのＤＩＣＯＭＤＩＲファイルのデータを新しい日時の内容に書き換えて整合するディレクトリィファイル書き換え手段と、を有して成ることを特徴とするＤＩＣＯＭメディア情報管理システムを提供する。
【００１２】
本発明の請求項４によれば、ＤＩＣＯＭメディアを挿入することにより、撮像した医用画像をこのＤＩＣＯＭメディアに記憶することが可能なモダリティ装置と、このモダリティ装置にネットワークを介して接続され、前記モダリティ装置から前記ネットワークを介して送られてきた複数の前記ＤＩＣＯＭメディアに記憶されている前記医用画像の内容に関するＤＩＣＯＭＤＩＲファイルを管理する管理サーバと、この管理サーバ内に設けられ、前記ＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、前記モダリティ装置に前記ＤＩＣＯＭメディアが挿入されたとき、このＤＩＣＯＭメディアのメディアＩＤの有無を検知するメディアＩＤ検知手段と、
このメディアＩＤ検知手段によりメディアＩＤが検知されないとき、前記管理サーバに通知し、新規のメディアＩＤを発行してそのＤＩＣＯＭメディアに付すると共に、新規のメディアＩＤにしたがって前記ＤＩＣＯＭメディアのＤＩＣＯＭＤＩＲファイルを前記管理データベースに記憶するＤＩＣＯＭディレクトリィ記憶手段と、を有して成ることを特徴とするＤＩＣＯＭメディア情報管理システムを提供する。
【００１３】
本発明の請求項５によれば、ＤＩＣＯＭメディアを挿入することにより、撮像した医用画像をこのＤＩＣＯＭメディアに記憶することが可能なモダリティ装置と、このモダリティ装置にネットワークを介して接続され、前記モダリティ装置から前記ネットワークを介して送られてきた複数の前記ＤＩＣＯＭメディアに記憶されている前記医用画像の内容に関するＤＩＣＯＭＤＩＲファイルを管理する管理サーバと、この管理サーバ内に設けられ、前記ＤＩＣＯＭメディアの各々に対応して付されたメディアＩＤをキーとして前記ＤＩＣＯＭＤＩＲファイルの情報を記憶する管理データベース、及び前記管理データベースに記憶された情報をもとに前記複数のＤＩＣＯＭメディアに記憶された医用情報を検索する検索手段と、前記モダリティ装置において前記ＤＩＣＯＭメディアの検索条件が入力されたとき、前記管理データベースに問い合わせ、前記検索手段によって対応する前記ＤＩＣＯＭメディアの内容を検索してその検索結果を出力する出力手段と、を有して成ることを特徴とするＤＩＣＯＭメディア情報管理システムを提供する。
さらに本発明の請求項６によれば、ＤＩＣＯＭメディアを挿入することにより、このＤＩＣＯＭメディアに記憶されている医用情報を表示することが可能な端末装置とネットワークを介して接続された管理サーバであって、前記端末装置から前記ネットワークを介して送られてきた複数の前記ＤＩＣＯＭメディアに記憶されている医用情報に関するＤＩＣＯＭＤＩＲファイルの内容をそれぞれ記憶するＤＩＣＯＭディレクトリィ記憶手段と、前記ＤＩＣＯＭディレクトリィ記憶手段に記憶された情報をもとに前記複数のＤＩＣＯＭメディアに記憶されている医用情報を検索する検索手段と、を備えたＤＩＣＯＭメディア情報を管理する管理サーバを提供する。
また本発明の請求項７によれば、ＤＩＣＯＭメディアを挿入することにより、撮像した医用画像をこのＤＩＣＯＭメディアに記憶することが可能なモダリティ装置とネットワークを介して接続された管理サーバであって、前記モダリティ装置から前記ネットワークを介して送られてきた複数の前記ＤＩＣＯＭメディアに記憶されている前記医用画像の内容に関するＤＩＣＯＭＤＩＲファイルの情報を、前記ＤＩＣＯＭメディアの各々に対応して付されたメディアＩＤをキーとして記憶する管理データベースと、前記管理データベースに記憶された情報をもとに前記複数のＤＩＣＯＭメディアに記憶された医用情報を検索する検索手段と、を備えたＤＩＣＯＭメディア情報を管理する管理サーバを提供する。
また本発明の請求項８によれば、ＤＩＣＯＭメディアを挿入することにより、撮像した医用画像をこのＤＩＣＯＭメディアに記憶することが可能なモダリティ装置とネットワークを介して接続された管理サーバであって、前記モダリティ装置から前記ネットワークを介して送られてきた複数の前記ＤＩＣＯＭメディアに記憶されている前記医用画像の内容に関するＤＩＣＯＭＤＩＲファイルの情報を、前記ＤＩＣＯＭメディアの各々に対応して付されたメディアＩＤをキーとして記憶する管理データベースと、前記管理データベースに記憶された情報をもとに前記複数のＤＩＣＯＭメディアに記憶された医用情報を検索する検索手段と、前記モダリティ装置に挿入された前記ＤＩＣＯＭメディアのＤＩＣＯＭＤＩＲファイルの更新日時と、前記管理データベースに記憶されている対応するＤＩＣＯＭＤＩＲファイルの更新日時を比較し、更新日時が整合しない場合は前記ＤＩＣＯＭメディア又は前記データベースのＤＩＣＯＭＤＩＲファイルのデータを新しい日時の内容に書き換えて整合するディレクトリィファイル書き換え手段と、を備えたＤＩＣＯＭメディア情報を管理する管理サーバを提供する。
また本発明の請求項９によれば、ＤＩＣＯＭメディアを挿入することにより、撮像した医用画像をこのＤＩＣＯＭメディアに記憶することが可能なモダリティ装置とネットワークを介して接続された管理サーバであって、前記モダリティ装置から前記ネットワークを介して送られてきた複数の前記ＤＩＣＯＭメディアに記憶されている前記医用画像の内容に関するＤＩＣＯＭＤＩＲファイルの情報を、前記ＤＩＣＯＭメディアの各々に対応して付されたメディアＩＤをキーとして記憶する管理データベースと、前記管理データベースに記憶された情報をもとに前記複数のＤＩＣＯＭメディアに記憶された医用情報を検索する検索手段と、前記モダリティ装置において前記ＤＩＣＯＭメディアの検索条件が入力されたとき、前記管理データベースに問い合わせ、前記検索手段によって対応する前記ＤＩＣＯＭメディアの内容を検索してその検索結果を出力する出力手段と、を備えたＤＩＣＯＭメディア情報を管理する管理サーバを提供する。
【発明の効果】
【００１４】
本発明によれば、ＤＩＣＯＭメディアの内容を管理するサーバを有するので、ＤＩＣＯＭメディアに不都合が生じても内容を復旧することが可能であり、しかも各ＤＩＣＯＭメディアの内容を容易に検索可能な、ＤＩＣＯＭメディア情報管理システムが得られる効果がある。
【発明を実施するための最良の形態】
【００１５】
以下、本発明の実施形態について図面を用いて説明する。図１の本発明一実施形態の構成例を示す。同図において、このＤＩＣＯＭ情報管理システムは、各ＤＩＣＯＭメディアを管理するＤＩＣＯＭＤＩＲ（ディレクトリィ）管理サーバ１１と、このＤＩＣＯＭＤＩＲ管理サーバ１１に病院内のローカルエリアネットワーク（ＬＡＮ）などのネットワーク１２を介して接続された、ＤＩＣＯＭ規格対応のＤＩＣＯＭメディアが接続可能な、例えばＸ線ＣＴ装置１３やＭＲＩ装置１４や超音波診断装置１５などのモダリティ装置から成る。
【００１６】
ＤＩＣＯＭＤＩＲ管理サーバ１１は、各ＤＩＣＯＭメディアのディレクトリィを管理するＤＩＣＯＭＤＩＲ管理データベース（ＤＢ）１６を有している。Ｘ線ＣＴ装置１３やＭＲＩ装置１４や超音波診断装置１５は、ＤＩＣＯＭメディアを出し入れするためのＤＩＣＯＭメディア挿入口１３ａ，１４ａ，１５ａを有し、内部にＤＩＣＯＭクライアントソフト１７ａ，１７ｂ，１７ｃを有する。これらのＤＩＣＯＭクライアントソフトは、医用機器やＤＩＣＯＭ規格対応のモダリティ装置の中に常駐し、ＤＩＣＯＭメディアに付加情報を記録したり、ＤＩＣＯＭＤＩＲ管理サーバ１１との通信を行うソフトウェアであり、別にインストールすることもあるが、特別に用意することなく、当該装置自体が同様の機能を実装する場合もある。
【００１７】
ＤＩＣＯＭメディア２１としては、光磁気ディスク（ＭＯ）やＣＤ−Ｒ、ＤＶＤなどを用いることが可能であり、その論理的な構造は図２に示すようになっている。すなわち、ＤＩＣＯＭメディア２１の中にＤＩＣＯＭＤＩＲファイル２２が１つ作られ、この中にペイシェントディレクトリィ（ＤＩＲ）２３ａ、スタディディレクトリィ（ＤＩＲ）２３ｂ、シリーズディレクトリィ（ＤＩＲ）２３ｃ、イメージディレクトリィ（ＤＩＲ）２３ｄが階層的に設けられ、イメージＤＩＲ２３ｄに撮影された画像がオブジェクトファイル２４ｄとして対応する。ペイシェントＤＩＲ２３ａ、スタディＤＩＲ２３ｂ、シリーズＤＩＲ２３ｃにもオブジェクトファイル２４ａ，２４ｂ，２４ｃが対応して設けられる。
【００１８】
ＤＩＣＯＭメディア２１の中には、ＤＩＣＯＭファイルでない非ＤＩＣＯＭファイル２５が保存される場合もある。各ディレクトリィには、それに対応したオブジェクトファイルを指し示す情報（ファイル名など）が記述されている。
【００１９】
上記Ｘ線ＣＴ装置１３、ＭＲＩ装置１４、超音波診断装置１５などのモダリティ装置に有するＤＩＣＯＭクライアントソフト１７ａ、１７ｂ、１７ｃは、次のような機能を有する。
【００２０】
（１）これらのモダリティ装置からＤＩＣＯＭメディア２１へのアクセスを監視し、ＤＩＣＯＭメディア２１の内容が更新された場合には、その内容をＤＩＣＯＭＤＩＲ管理サーバ１１に反映させることを保証する。またＤＩＣＯＭメディア２１のエラーを検知する。
【００２１】
（２）ＤＩＣＯＭメディア２１に付加情報を記録する。すなわち、ＤＩＣＯＭメディア２１に最初にアクセスした際に、このメディアを一意に識別するメディアＩＤをＤＩＣＯＭメディア２１内に記録する。
【００２２】
（３）ＤＩＣＯＭＤＩＲ管理サーバ１１に対してＤＩＣＯＭＤＩＲファイル２２の更新を要求する。すなわち、モダリティ装置においてＤＩＣＯＭＤＩＲファイル２２の内容が更新された場合に、その更新内容をＤＩＣＯＭＤＩＲ管理サーバ１１の管理情報に反映させる。
【００２３】
（４）ＤＩＣＯＭＤＩＲ管理サーバ１１に対して情報検索サービスを要求する。すなわち、モダリティ装置もしくはユーザに対して検索条件を入力するインターフェースを有し、その条件に従ってＤＩＣＯＭメディア２１に関する情報の検索を要求する。この検索に用いるキーとしてはＤＩＣＯＭの各属性を用いることが可能である。また、その検索結果をモダリティ装置もしくはユーザに通知する出力インターフェースを有する。検索結果は、例えば医用画像のサムネイル表示などにより表現できる。
【００２４】
（５）ＤＩＣＯＭＤＩＲ管理サーバ１１に対する要求をキャッシュする。上述のＤＩＣＯＭＤＩＲファイル２２の更新要求など、ＤＩＣＯＭＤＩＲ管理サーバ１１に対する要求を高速に行なうために要求を一旦、モダリティ装置内に保存し、その後ＤＩＣＯＭＤＩＲ管理サーバ１１に対して要求を行なうことが可能である。キャッシュした内容は、ＤＩＣＯＭＤＩＲ管理サーバ１１に反映されることを保証する。
【００２５】
次に、図１に構成を示した本発明一実施形態の動作をフローチャートを示す図面を用いて説明する。図３及び図４に、医用画像を含む医用情報をＤＩＣＯＭメディア２１に保存する場合の動作を示す。
【００２６】
図３のステップＳ３０１において、ＤＩＣＯＭメディア２１をモダリティ装置例えばＸ線ＣＴ装置１３のメディア挿入口１３ａに挿入する。次のステップＳ３０２で挿入されたＤＩＣＯＭメディア２１にメディアＩＤが記録されているか検査される。メディアＩＤがＤＩＣＯＭメディア２１に記録されていないときには、ステップＳ３０３でＤＩＣＯＭＤＩＲ管理サーバ１１に新規のメディアＩＤの発行を要求し、ＤＩＣＯＭＤＩＲ管理サーバ１１がメディアＩＤを発行すると、ステップＳ３０４においてその発行されたメディアＩＤを上記ＤＩＣＯＭメディア２１に記録する。
【００２７】
ステップＳ３０２でＤＩＣＯＭメディア２１にメディアＩＤが記録されているとき、及びステップＳ３０４においてメディアＩＤを記録した後、ステップＳ３０５でそのメディアＩＤを読み込む。
【００２８】
ステップＳ３０６では上記メディアＩＤをキーにしてＤＩＣＯＭＤＩＲ管理サーバ１１のＤＩＣＯＭＤＩＲファイル管理ＤＢ１６を検索し、ステップＳ３０７でそのＤＩＣＯＭメディア２１に該当メディアＩＤが存在するかチェックする。該当メディアＩＤが存在しなければステップＳ３０８においてＤＩＣＯＭＤＩＲファイル管理ＤＢ１６に登録し、ステップＳ３０９で、このメディアＩＤのＤＩＣＯＭメディア２１に記憶されているＤＩＣＯＭＤＩＲファイルの内容を、ＤＩＣＯＭＤＩＲ管理サーバ１１のＤＩＣＯＭＤＩＲ管理ＤＢ１６に記憶する。
【００２９】
ステップＳ３０７でＤＩＣＯＭメディア２１に該当メディアＩＤが存在したとき、及びステップＳ３０９でＤＩＣＯＭＤＩＲファイルの内容を、ＤＩＣＯＭＤＩＲ管理サーバ１１のＤＩＣＯＭＤＩＲ管理ＤＢ１６に記憶した後は、ステップＳ３１０でＸ線ＣＴ装置１３で撮影した画像などの該当データを、ＤＩＣＯＭＤＩＲ管理サーバ１１のＤＩＣＯＭＤＩＲ管理ＤＢ１６にロードする。
【００３０】
次のステップＳ３１１では、ＤＩＣＯＭメディア２１に記憶されている内容と、今ロードしたデータが整合しているかチェックし、ステップＳ３１２で整合していないと判断された場合には、ステップＳ３１３でＤＩＣＯＭメディア２１に記憶されているＤＩＣＯＭＤＩＲファイルの更新日時と、ＤＩＣＯＭＤＩＲ管理ＤＢ１６のデータの更新日時を比較する。
【００３１】
上記比較の結果、ＤＩＣＯＭＤＩＲファイルの更新日時の方が新しい場合には、ステップＳ３１５でＤＩＣＯＭＤＩＲファイルの内容をＤＩＣＯＭＤＩＲ管理ＤＢ１６に記憶する。このようにＤＩＣＯＭＤＩＲファイルの内容をＤＩＣＯＭＤＩＲ管理ＤＢ１６に記憶された場合と、上記ステップＳ３１２で整合が取れている場合には、ステップＳ３１６でＤＩＣＯＭメディア２１に記憶されているボリュームラベルなどのメディア情報を、ＤＩＣＯＭＤＩＲ管理ＤＢ１６に記憶する。この後の処理は図４に続く。
【００３２】
また、ステップＳ３１４でＤＩＣＯＭＤＩＲ管理ＤＢ１６のデータの更新日時の方がＤＩＣＯＭＤＩＲファイルの更新日時よりも新しい場合には図５に示す処理に続く。
【００３３】
上記ステップＳ３１６の後は、図４のステップＳ４０１でＤＩＣＯＭメディア２１に医用情報を保存し、ステップＳＳ４０２で対応するオブジェクトファイルを更新する。
【００３４】
そして、ステップＳ４０３でＤＩＣＯＭＤＩＲ管理サーバ１１にＤＩＣＯＭＤＩＲファイルの更新を要求し、ステップＳ４０４でＤＩＣＯＭＤＩＲ管理サーバ１１のＤＩＣＯＭＤＩＲ管理ＤＢ１６において、ＤＩＣＯＭメディア２１のＤＩＣＯＭＤＩＲファイルの更新を行う。次のステップＳ４０５では、ＤＩＣＯＭメディア２１をＸ線ＣＴ装置１３のメディア挿入口１３ａからイジェクトする。
【００３５】
次のステップＳ４０６で、Ｘ線ＣＴ装置１３に備えているキャッシュ機能がオンでしかもＤＩＣＯＭＤＩＲ管理サーバ１１のＤＩＣＯＭＤＩＲ管理ＤＢ１６に反映されていない情報がキャッシュに存在するか否かチェックを行い、そのような情報がキャッシュに存在するときには、ステップＳ４０７において、そのキャッシュの内容をＤＩＣＯＭＤＩＲ管理サーバ１１のＤＩＣＯＭＤＩＲ管理ＤＢ１６に記憶する。次にステップＳ４０８でイジェクトされたＤＩＣＯＭメディア２１の情報をキャッシュからクリアする。
【００３６】
なお、ステップＳ４０６で、上記のようなキャッシュが存在しない場合にはステップ４０８に移行し、イジェクトされたＤＩＣＯＭメディア２１の情報をキャッシュからクリアする。
【００３７】
その後、ステップＳ４０９においてＤＩＣＯＭＤＩＲ管理サーバ１１のＤＩＣＯＭＤＩＲ管理ＤＢ１６にロードした内容をクリアする。
【００３８】
次に図３のステップＳ３１４でＤＩＣＯＭメディア２１の日時がＤＩＣＯＭＤＩＲ管理サーバ１１のＤＩＣＯＭＤＩＲ管理ＤＢ１６に記憶されているデータの更新日時よりも新しくない場合について図５を用いて説明する。
【００３９】
このときステップＳ５０１でＤＩＣＯＭＤＩＲファイルへアクセスしたとき、エラーが発生したことが表示され、ステップＳ５０２でそのエラーの検知を行なう。
【００４０】
次のステップＳ５０３では、ＤＩＣＯＭＤＩＲファイルを復旧するかチェックする。ＤＩＣＯＭＤＩＲファイルを復旧する場合には次のステップＳ５０４において、ＤＩＣＯＭメディア２１へのアクセスを禁止する。
【００４１】
ステップＳＳ５０５では、Ｘ線ＣＴ装置１３においてキャッシュ機能がオンになっていて、しかもＤＩＣＯＭＤＩＲ管理サーバ１１のＤＩＣＯＭＤＩＲ管理ＤＢ１６に反映されていない情報がキャッシュに存在するか否かチェックされ、そのような情報があったときには、そのキャッシュの内容をＤＩＣＯＭＤＩＲ管理ＤＢ１６に記憶する。
【００４２】
ステップＳ５０７では、ＤＩＣＯＭＤＩＲ管理サーバ１１のＤＩＣＯＭＤＩＲファイルの情報をＤＩＣＯＭメディア２１にコピーし、ステップＳ５０８でＤＩＣＯＭメディア２１に対するアクセスを解禁し終了する。ステップＳ５０５においてＤＩＣＯＭＤＩＲ管理ＤＢ１６に反映されていない情報がキャッシュに存在しないときには、ステップＳ５０６をスキップして、ステップＳ５０７の処理を行う。
【００４３】
また、ステップＳ５０３でＤＩＣＯＭＤＩＲファイルを復旧しないときには、ステップＳ５０９でこのＤＩＣＯＭＤＩＲファイルへのアクセスを禁止して終了する。
【００４４】
次に、ＤＩＣＯＭメディアに記憶されている情報を検索する場合の動作について図６を用いて説明する。この場合には、ステップＳ６０１で操作者が例えばＸ線ＣＴ装置１３において検索条件を入力すると、ステップＳ６０２でクライアントソフトウェア１７が作動し、ＤＩＣＯＭＤＩＲ管理サーバ１１に入力された条件に基づいた検索を要求する。
【００４５】
次のステップＳ６０３では、ＤＩＣＯＭＤＩＲ管理サーバ１１がＤＩＣＯＭＤＩＲ管理ＤＢ１６を上記入力条件に従って検索を行う。
【００４６】
次のステップＳ６０４では、ＤＩＣＯＭＤＩＲ管理サーバ１１が上記入力条件に合致する情報のリストとその情報を有するメディアＩＤ、メディア情報を抽出し、ステップＳ６０５においてその検索結果を検索要求元のＸ線ＣＴ装置１３に送る。そして、ステップＳ６０６で、Ｘ線ＣＴ装置１３にインストールされているクライアントソフト１７が、その送信された検索結果を例えばその表示画面上に出力表示する。
【００４７】
このようにして、各モダリティ装置を使用している操作者は、特定の条件を満たすＤＩＣＯＭメディア２１の内容を知ることができる。
【００４８】
本発明のこの実施形態によれば、各ＤＩＣＯＭメディアのＤＩＣＯＭディレクトリィをＤＩＣＯＭＤＩＲ管理サーバのＤＩＣＯＭＤＩＲファイル管理ＤＢに記憶させているので、このデータベースを検索することによって各ＤＩＣＯＭメディアの内容を容易に知ることが可能となる。また、各装置において用いる各ＤＩＣＯＭメディアの内容をチェックし、メディアＩＤがない場合などのときには、新規にメディアＩＤを付けて登録し、そのＤＩＣＯＭメディアに記憶すると共に、ＤＩＣＯＭＤＩＲファイル管理ＤＢにも記憶するので、ＤＩＣＯＭメディアの内容が読めなくなったような場合には復旧することが可能となる利点がある。
【００４９】
この実施形態によれば、ＤＩＣＯＭＤＩＲファイルを二重化することになり、データの信頼性が向上する。このＤＩＣＯＭＤＩＲファイルに障害が発生しても容易に復旧することが可能である。ＤＩＣＯＭＤＩＲ管理サーバで一括管理することにより、各モダリティ装置毎にバックアップを取る必要がなく、効率的である。またネットワークにつながれた装置ならばどの装置においてもサーバで行なったバックアップを利用することができる。
【００５０】
ＤＩＣＯＭメディアの情報を、ＭＯ，ＣＤ−Ｒなどメディアの種別に拘わらずサーバにおいて一括管理でき、しかもデータの一貫性を保つことができる利点がある。
【００５１】
また、検索しようとするＤＩＣＯＭメディア自体が手元になくても、どのＤＩＣＯＭメディアに欲しい医用情報が入っているか探し出すことが可能であり、メディアにまたがった医用情報の検索ができ、またＤＩＣＯＭメディアの中の医用情報の管理・検索が容易である利点がある。
【００５２】
上記実施形態ではＤＩＣＯＭメディアを挿入する装置としてモダリティ装置である場合について述べたが、モダリティ装置でなくてもＤＩＣＯＭメディアの内容が読み出せる端末装置であれば本発明を適用することが可能である。
【図面の簡単な説明】
【００５３】
【図１】本発明一実施形態の構成例を示す図。
【図２】本発明に用いるＤＩＣＯＭメディアの論理構造を示す図。
【図３】本発明一実施形態においてＤＩＣＯＭＤＩＲファイルが異なるときの更新の動作を説明するための図。
【図４】本発明一実施形態においてＤＩＣＯＭＤＩＲファイルが異なるときの更新の動作を説明するため図３に続く図。
【図５】本発明一実施形態においてＤＩＣＯＭＤＩＲファイルへアクセスしエラーになったときの動作を説明するための図。
【図６】本発明一実施形態において所定条件のＤＩＣＯＭメディアを検索するときの動作を説明するための図。
【符号の説明】
【００５４】
１１・・・ＤＩＣＯＭＤＩＲ管理サーバ、
１２・・・ネットワーク、
１３・・・Ｘ線ＣＴ装置、
１４・・・ＭＲＩ装置、
１５・・・超音波診断装置、
１３ａ，１４ａ，１５ａ・・・ＤＩＣＯＭメディア挿入口、
１６・・・ＤＩＣＯＭＤＩＲ管理データベース（ＤＢ）、
１７ａ、１７ｂ、１７ｃ・・・ＤＩＣＯＭクライアントソフト
２１・・・ＤＩＣＯＭメディア、
２２・・・ＤＩＣＯＭＤＩＲファイル、
２３ａ・・・ペイシェントディレクトリィ（ＤＩＲ）、
２３ｂ・・・スタディディレクトリィ（ＤＩＲ）、
２３ｃ・・・シリーズディレクトリィ（ＤＩＲ）、
２３ｄ・・・イメージディレクトリィ（ＤＩＲ）。
【図１】
0004634729.tif 000002
【図２】
0004634729.tif 000003
【図３】
0004634729.tif 000004
【図４】
0004634729.tif 000005
【図５】
0004634729.tif 000006
【図６】
0004634729.tif 000007